(57)【要約】【課題】本発明は、ＩＰ電話網に接続されている場合にも安定したファクシミリ通信を行うファクシミリ装置に関する。【解決手段】ファクシミリ装置は、ファクシミリ送信時、発信後に所定の信号を検出すると、モデム部のＶ．８機能をオフにして送信動作を行う。したがって、ＩＰ電話網とファクシミリ装置との間に介在するＡＤＳＬモデムやＩＰ端末の発信する所定の信号を検出すると、ＩＰ電話網に接続されたと判断して、Ｖ．８機能をオフにしてＶ．３４での通信を行わないようにすることができ、ＩＰ電話網に接続された場合にも安定したファクシミリ通信を行うことができる。【選択図】          図１
2005176079.tif 000002
【特許請求の範囲】
【請求項１】
公衆回線網に接続され、トーン検出機能を備えるとともに、Ｖ．８機能を有したモデムを備え、ファクシミリ通信を行うファクシミリ装置において、ファクシミリ送信時、発信後に所定の信号を検出すると、前記Ｖ．８機能をオフにして送信動作を行うことを特徴とするファクシミリ装置。
【請求項２】
公衆回線網に接続され、トーン検出機能を備えるとともに、回線状況に応じてイコライザーを設定するモデムを備え、ファクシミリ通信するファクシミリ装置において、着信時、所定の信号を検出すると、画情報の受信を開始した直後に、前記モデムのイコライザーをフリーズさせて受信動作を行うことを特徴とするファクシミリ装置。
【請求項３】
公衆回線網に接続され、トーン検出機能を備えるとともに、高速受信機能と低速受信機能とを備え、ファクシミリ通信時に、ライン間／フレーム間タイムアウトすると、高速受信から低速受信に切り換えるファクシミリ装置において、着信時、所定の信号を検出すると、前記ライン間／フレーム間タイムアウト時の高速受信から低速受信に切り換えるまでの高速受信状態継続時間を所定時間延長して受信動作を行うことを特徴とするファクシミリ装置。
【請求項４】
公衆回線網に接続され、トーン検出機能を備えるとともに、高速受信機能と低速受信機能とを備え、ファクシミリ通信時に、低速受信状態で所定のポストメッセージ待ち時間の間にポストメッセージを受信しないと、通信エラーとして処理するファクシミリ装置において、着信時、所定の信号を検出すると、前記ポストメッセージ待ち時間を所定時間延長して受信動作を行うことを特徴とするファクシミリ装置。
【請求項５】
公衆回線網に接続され、トーン検出機能を備えるとともに、高速受信機能と低速受信機能とを備え、ライン間／フレーム間タイムアウトすると、高速受信から低速受信に切り換え、低速受信状態で所定のポストメッセージ待ち時間の間にポストメッセージを受信しないと、通信エラーとして処理するファクシミリ装置において、着信時、所定の信号を検出すると、前記ライン間／フレーム間タイムアウト時の高速受信から低速受信に切り換えるまでの高速受信状態継続時間を所定時間延長するとともに、前記ポストメッセージ待ち時間を所定時間延長して受信動作を行うことを特徴とするファクシミリ装置。
【発明の詳細な説明】
【技術分野】
【０００１】
本発明は、ファクシミリ装置に関し、詳細には、ＩＰ電話網に接続されている場合にも安定したファクシミリ通信を行うファクシミリ装置に関する。
【背景技術】
【０００２】
ＡＤＳＬ（Asymmetric Digital Subscriber Line）、ＦＴＴＨ（Fiber To The Home）、ケーブルネットを使用するブロードバンドサービス等が普及し、それに伴いＩＰ（Internet Protocol）ネットワークを使用して、音声を流すＩＰ（Internet Protocol）電話が普及しつつある。
【０００３】
ＩＰ電話は、ＶｏＩＰ（Voice over IP）と呼ばれるＩＰネットワーク上で音声通話を実現する技術を使用しており、現在ではＨ．３２３と呼ばれる通信規約がＩＴＵ−Ｔで標準勧告されている。また、ＩＥＴＦ（Internet Engineering Task Force）によりＳＩＰ（Session Initiation Protocol）と呼ばれる別のプロトコルを規定している。
【０００４】
ＩＰ電話は、公衆回線を使用する電話に比較して、通信費が安価であり、また、ＩＰ電話アダプタを使用することで、従来の公衆回線用の電話を使用することができる。
【０００５】
ＩＰ電話アダプタは、ＶｏＩＰ機能を搭載し、ＩＰネットワークを用いた音声通話を実現するとともに、公衆回線を使用した電話を切り換えて使用することができ、これらの切換は電話機から行うことができる（特許文献１、特許文献２等参照）。
【０００６】
【特許文献１】実用新案登録第３０９２９８３号公報
【特許文献２】特開２０００−４１０６３号公報
【発明の開示】
【発明が解決しようとする課題】
【０００７】
しかしながら、ＩＰ電話網に接続されているファクシミリ装置にファクシミリ送信する場合、通信エラーが発生することが多いという問題があった。
【０００８】
すなわち、ファクシミリ装置は、モデムで、プロトコル信号や画情報をＶ．２１、Ｖ．８、Ｖ．１７、Ｖ．３４、Ｖ．２３等の規格に従って変復調を行い、ＤＴＭＦの発信、トーン検出、音声メッセージの送出を行うが、例えば、ＡＤＳＬモデムに接続されて通信を行う場合、ＩＰ電話網に接続されると、種々のモデム間の接続を適切に行うための手順であるＶ．８でパケットロス等により、通信エラーが発生することが多い。
【０００９】
一方、ＩＰ電話網に接続する場合には、ＡＤＳＬモデムまたはＩＰ端末が介在し、これらのＡＤＳＬモデムやＩＰ端末は、ＩＰ電話網に発信すると、特殊な信号を発信元に送出する。
【００１０】
また、送信時、ＩＰ電話網に接続されたことを上記ＡＤＳＬモデムやＩＰ端末からの特殊な信号で認識すると、極性反転を検出した後、特定の信号（例えば、８００Ｈｚ）を送出するファクシミリ装置がある。
【００１１】
そこで、本発明は、上記ＡＤＳＬモデムやＩＰ端末の送出する信号及び送信側ファクシミリ装置がＩＰ電話網に送信する場合に送出する信号を利用して、送信時及び受信時にＩＰ電話網に接続されたか否か判断して、ＩＰ電話網に接続されると、ファクシミリ通信を安定させる処理を行うファクシミリ装置を提供することを目的としている。
【００１２】
具体的には、請求項１記載の発明は、ファクシミリ送信時、発信後に所定の信号を検出すると、モデムのＶ．８機能をオフにして送信動作を行うことにより、ＩＰ電話網とファクシミリ装置との間に介在するＡＤＳＬモデムやＩＰ端末の発信する所定の信号を検出すると、ＩＰ電話網に接続されたと判断して、Ｖ．８機能をオフにしてＶ．３４での通信を行わないようにし、ＩＰ電話網に接続された場合にも安定したファクシミリ通信を行うファクシミリ装置を提供することを目的としている。
【００１３】
請求項２記載の発明は、着信時、所定の信号を検出すると、画情報の受信を開始した直後に、モデムのイコライザーをフリーズさせて受信動作を行うことにより、ＩＰ電話網使用時に送信側ファクシミリ装置の送出する所定の信号を検出すると、ＩＰ電話網に接続されたと判断して、高速受信時にモデム内部のイコライザーをフリーズさせて、イコライザーを更新しないようにし、ＩＰ電話網でのファクシミリ通信時にパケットロスがあっても安定したファクシミリ通信を行うファクシミリ装置を提供することを目的としている。
【００１４】
請求項３記載の発明は、ファクシミリ通信時に、ライン間／フレーム間タイムアウトすると、高速受信から低速受信に切り換えるに際して、着信時、所定の信号を検出すると、ライン間／フレーム間タイムアウト時の高速受信から低速受信に切り換えるまでの高速受信状態継続時間を所定時間延長して受信動作を行うことにより、ＩＰ電話網使用時に送信側ファクシミリ装置の送出する所定の信号を検出すると、ＩＰ電話網に接続されたと判断して、高速受信状態継続時間を所定時間延長させて、高速受信の途中で受信に失敗しても再度高速受信に復帰できるようにし、ＩＰ電話網に接続されたファクシミリ装置からのファクシミリ受信の場合にも、安定したファクシミリ通信を行うファクシミリ装置を提供することを目的としている。
【００１５】
請求項４記載の発明は、ファクシミリ通信時に、低速受信状態で所定のポストメッセージ待ち時間の間にポストメッセージを受信しないと、通信エラーとして処理するに際して、着信時、所定の信号を検出すると、ポストメッセージ待ち時間を所定時間延長して受信動作を行うことにより、ＩＰ電話網使用時に送信側ファクシミリ装置の送出する所定の信号を検出すると、ＩＰ電話網に接続されたと判断して、ポストメッセージ待ち時間を所定時間延長して、高速受信に失敗して高速受信に復帰できなかったとしても、低速の信号を捕まえて再度通信をやり直すことができるようにし、ＩＰ電話網に接続されたファクシミリ装置からのファクシミリ受信の場合にも、安定したファクシミリ通信を行うファクシミリ装置を提供することを目的としている。
【００１６】
請求項５記載の発明は、ライン間／フレーム間タイムアウトすると、高速受信から低速受信に切り換え、低速受信状態で所定のポストメッセージ待ち時間の間にポストメッセージを受信しないと、通信エラーとして処理するに際して、着信時、所定の信号を検出すると、ライン間／フレーム間タイムアウト時の高速受信から低速受信に切り換えるまでの高速受信状態継続時間を所定時間延長するとともに、ポストメッセージ待ち時間を所定時間延長して受信動作を行うことにより、ＩＰ電話網使用時に送信側ファクシミリ装置の送出する所定の信号を検出すると、ＩＰ電話網に接続されたと判断して、高速受信状態継続時間を所定時間延長させるとともに、ポストメッセージ待ち時間を所定時間延長して、高速受信の途中で受信に失敗しても再度高速受信に復帰できるようにし、また、高速受信に失敗して高速受信に復帰できなかったとしても、低速の信号を捕まえて再度通信をやり直すことができるようにし、ＩＰ電話網に接続されたファクシミリ装置からのファクシミリ受信の場合にも、安定したファクシミリ通信を行うファクシミリ装置を提供することを目的としている。
【課題を解決するための手段】
【００１７】
請求項１記載の発明のファクシミリ装置は、公衆回線網に接続され、トーン検出機能を備えるとともに、Ｖ．８機能を有したモデムを備え、ファクシミリ通信を行うファクシミリ装置において、ファクシミリ送信時、発信後に所定の信号を検出すると、前記Ｖ．８機能をオフにして送信動作を行うことにより、上記目的を達成している。
【００１８】
請求項２記載の発明のファクシミリ装置は、公衆回線網に接続され、トーン検出機能を備えるとともに、回線状況に応じてイコライザーを設定するモデムを備え、ファクシミリ通信するファクシミリ装置において、着信時、所定の信号を検出すると、画情報の受信を開始した直後に、前記モデムのイコライザーをフリーズさせて受信動作を行うことにより、上記目的を達成している。
【００１９】
請求項３記載の発明のファクシミリ装置は、公衆回線網に接続され、トーン検出機能を備えるとともに、高速受信機能と低速受信機能とを備え、ファクシミリ通信時に、ライン間／フレーム間タイムアウトすると、高速受信から低速受信に切り換えるファクシミリ装置において、着信時、所定の信号を検出すると、前記ライン間／フレーム間タイムアウト時の高速受信から低速受信に切り換えるまでの高速受信状態継続時間を所定時間延長して受信動作を行うことにより、上記目的を達成している。
【００２０】
請求項４記載の発明のファクシミリ装置は、公衆回線網に接続され、トーン検出機能を備えるとともに、高速受信機能と低速受信機能とを備え、ファクシミリ通信時に、低速受信状態で所定のポストメッセージ待ち時間の間にポストメッセージを受信しないと、通信エラーとして処理するファクシミリ装置において、着信時、所定の信号を検出すると、前記ポストメッセージ待ち時間を所定時間延長して受信動作を行うことにより、上記目的を達成している。
【００２１】
請求項５記載の発明のファクシミリ装置は、公衆回線網に接続され、トーン検出機能を備えるとともに、高速受信機能と低速受信機能とを備え、ライン間／フレーム間タイムアウトすると、高速受信から低速受信に切り換え、低速受信状態で所定のポストメッセージ待ち時間の間にポストメッセージを受信しないと、通信エラーとして処理するファクシミリ装置において、着信時、所定の信号を検出すると、前記ライン間／フレーム間タイムアウト時の高速受信から低速受信に切り換えるまでの高速受信状態継続時間を所定時間延長するとともに、前記ポストメッセージ待ち時間を所定時間延長して受信動作を行うことにより、上記目的を達成している。
【発明の効果】
【００２２】
請求項１記載の発明のファクシミリ装置によれば、ファクシミリ送信時、発信後に所定の信号を検出すると、モデムのＶ．８機能をオフにして送信動作を行うので、ＩＰ電話網とファクシミリ装置との間に介在するＡＤＳＬモデムやＩＰ端末の発信する所定の信号を検出すると、ＩＰ電話網に接続されたと判断して、Ｖ．８機能をオフにしてＶ．３４での通信を行わないようにすることができ、ＩＰ電話網に接続された場合にも安定したファクシミリ通信を行うことができる。
【００２３】
請求項２記載の発明のファクシミリ装置によれば、着信時、所定の信号を検出すると、画情報の受信を開始した直後に、モデムのイコライザーをフリーズさせて受信動作を行うので、ＩＰ電話網使用時に送信側ファクシミリ装置の送出する所定の信号を検出すると、ＩＰ電話網に接続されたと判断して、高速受信時にモデム内部のイコライザーをフリーズさせて、イコライザーを更新しないようにすることができ、ＩＰ電話網でのファクシミリ通信時にパケットロスがあっても安定したファクシミリ通信を行うことができる。
【００２４】
請求項３記載の発明のファクシミリ装置によれば、ファクシミリ通信時に、ライン間／フレーム間タイムアウトすると、高速受信から低速受信に切り換えるに際して、着信時、所定の信号を検出すると、ライン間／フレーム間タイムアウト時の高速受信から低速受信に切り換えるまでの高速受信状態継続時間を所定時間延長して受信動作を行うので、ＩＰ電話網使用時に送信側ファクシミリ装置の送出する所定の信号を検出すると、ＩＰ電話網に接続されたと判断して、高速受信状態継続時間を所定時間延長させて、高速受信の途中で受信に失敗しても再度高速受信に復帰できるようにすることができ、ＩＰ電話網に接続されたファクシミリ装置からのファクシミリ受信の場合にも、安定したファクシミリ通信を行うことができる。
【００２５】
請求項４記載の発明のファクシミリ装置によれば、ファクシミリ通信時に、低速受信状態で所定のポストメッセージ待ち時間の間にポストメッセージを受信しないと、通信エラーとして処理するに際して、着信時、所定の信号を検出すると、ポストメッセージ待ち時間を所定時間延長して受信動作を行うので、ＩＰ電話網使用時に送信側ファクシミリ装置の送出する所定の信号を検出すると、ＩＰ電話網に接続されたと判断して、ポストメッセージ待ち時間を所定時間延長して、高速受信に失敗して高速受信に復帰できなかったとしても、低速の信号を捕まえて再度通信をやり直すことができ、ＩＰ電話網に接続されたファクシミリ装置からのファクシミリ受信の場合にも、安定したファクシミリ通信を行うことができる。
【００２６】
請求項５記載の発明のファクシミリ装置によれば、ライン間／フレーム間タイムアウトすると、高速受信から低速受信に切り換え、低速受信状態で所定のポストメッセージ待ち時間の間にポストメッセージを受信しないと、通信エラーとして処理するに際して、着信時、所定の信号を検出すると、ライン間／フレーム間タイムアウト時の高速受信から低速受信に切り換えるまでの高速受信状態継続時間を所定時間延長するとともに、ポストメッセージ待ち時間を所定時間延長して受信動作を行うので、ＩＰ電話網使用時に送信側ファクシミリ装置の送出する所定の信号を検出すると、ＩＰ電話網に接続されたと判断して、高速受信状態継続時間を所定時間延長させるとともに、ポストメッセージ待ち時間を所定時間延長して、高速受信の途中で受信に失敗しても再度高速受信に復帰できるようにすることができ、また、高速受信に失敗して高速受信に復帰できなかったとしても、低速の信号を捕まえて再度通信をやり直すことができ、ＩＰ電話網に接続されたファクシミリ装置からのファクシミリ受信の場合にも、安定したファクシミリ通信を行うことができる。
【発明を実施するための最良の形態】
【００２７】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２８】
図１及び図２は、本発明のファクシミリ装置の第１実施例を示す図であり、図１は、本発明のファクシミリ装置の第１実施例を適用したファクシミリ装置１のブロック構成図である。
【００２９】
図１において、ファクシミリ装置１は、システム制御部２、システムメモリ部３、画像メモリ部４、符号化・復号化部５、記録部６、読取部７、操作部８、Ｉ／Ｏ制御部９、モデム部１０、通信アナログ部１１及びＮＣＵ（Network Control Unit）部１２等を備えており、主要各部は、バス１３により接続されている。
【００３０】
システムメモリ部３は、ＲＯＭ（Read Only Memory）やＲＡＭ（Random Access Memory）等で構成され、ファクシミリ装置１の制御プログラムと当該制御プログラムの実行に必要な各種データ及び規定信号の周波数、規定信号のＯｎ／Ｏｆｆ（オン／オフ）時間、繰り返し回数及び各種待ち時間等を記憶する。
【００３１】
システム制御部２は、システムメモリ部３内の制御プログラムに基づいて、ファクシミリ装置１の各部を制御し、ファクシミリ装置１としての基本制御処理を実行するとともに、後述する通信管理処理を実行する。
【００３２】
画像メモリ部４は、例えば、大容量のＲＡＭあるいはハードディスク装置等で構成され、主に送信用の画情報や受信した画情報等の通信情報を記憶して、所定時期に読み出されて送信処理や記録処理等が行われる。
【００３３】
符号化・復号化部５は、画情報の画像メモリ部４への蓄積の効率化及び伝送時間の短縮化を図るためのものであり、所定の符号化方式に従って画情報を符号化し、また、符号化された画情報を復号化する。
【００３４】
記録部６は、例えば、インク噴射方式の記録装置あるいは電子写真式記録装置等が使用されており、受信した画情報や読取部７で読み取った原稿の画情報を記録紙に記録出力する。
【００３５】
読取部７は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつ読取部７の原稿読取位置に送給する。読取部７は、ＡＤＦから搬送されてきた原稿を走査し、原稿の画像を所定の解像度で読み取る。
【００３６】
操作部８は、テンキー、スタートキー、ワンタッチキー、短縮ダイヤルキー及びファンクションキー等の各種操作キーを備えるとともに、ディスプレイ、例えば、液晶ディスプレイ等を備えており、操作キーからは、送信操作等の各種命令が入力される。操作部８のディスプレイには、操作キーから入力された各種命令内容やファクシミリ装置１からオペレータに通知する各種情報が表示される。
【００３７】
Ｉ／Ｏ制御部９は、通信アナログ部１１及びＮＣＵ部１２に接続されており、システム制御部２との間でハンドシェイクを行って、通信アナログ部１１及びＮＣＵ部１２の制御を行う。
【００３８】
モデム部１０は、システム制御部２の制御下で動作して、プロトコル信号や画情報をＶ．２１、Ｖ．８、Ｖ．１７、Ｖ．３４、Ｖ．２３等の規格に従って変復調を行い、ＤＴＭＦの発信、トーン検出、音声メッセージの送出を行う。また、モデム部１０は、イコライザーを内蔵しており、回線状況に応じて当該イコライザーの設定を行うとともに、イコライザーをフリーズさせて、イコライザーの更新を禁止する機能を有している。
【００３９】
すなわち、モデム部１０は、電送手順信号を相手ファクシミリ装置とやりとりするための低速モデム機能（Ｖ．２１）及び主に画像データをやりとりするための高速モデム機能（Ｖ．３４モデム、Ｖ．２９モデム、Ｖ．２７ｔｅｒモデム等）を備えている。
【００４０】
通信アナログ部１１は、ＮＣＵ部１２に接続され、アナログ信号の経路として動作する。
【００４１】
ＮＣＵ部１２には、所定の回線、例えば、ＰＳＴＮ（Public Swiched Telephone Network：公衆電話網）等が接続されており、ＮＣＵ部１２は、回線とのインタフェースであって、オフフック検出、ダイヤルパルス送出を行って、回線からの発呼に対して自動着呼し、また、回線への自動発呼処理を行う。また、ＮＣＵ部１２は、通信制御部を内蔵しており、この通信制御部により、相手ファクシミリ装置との間でファクシミリ制御信号を交換して、ファクシミリ通信手順を実行する。
【００４２】
さらに、ＮＣＵ部１２には、外付けの電話機２０が接続され、ＮＣＵ部１２は、回線をファクシミリ装置１の本体側と外付け電話機２０側とに切り換えて接続する。
【００４３】
次に、本実施例の作用を説明する。本実施例のファクシミリ装置１は、送信時、発信後に規定の信号を検出すると、モデム部１０のＶ．８機能をオフにして、安定した通信を行う。
【００４４】
すなわち、ファクシミリ装置１は、図２に示すように、システム制御部２が、発信を開始すると（ステップＳ１０１）、特殊信号（規定の信号）を受信するかチェックして、ＩＰ電話網で接続したか、一般公衆網で接続したかをチェックする（ステップＳ１０２）。
【００４５】
すなわち、ファクシミリ装置１が、ＩＰ電話網に接続されていると、ＩＰ電話網とファクシミリ装置１の間にＡＤＳＬモデムあるいはＩＰ端末が介在することになるが、ＡＤＳＬモデムやＩＰ端末には、複数のランプが付いており、その点灯、点滅、消灯等によりユーザに現在の通信が一般公衆網経由で行われているのか、ＩＰ電話網経由で行われているのかを確認できるようになっている。また、発信した後に特殊な信号をユーザに送出することにより、音でＩＰ電話網で接続したかどうかを確認することができる。
【００４６】
そこで、本実施例のファクシミリ装置１は、この特殊な信号を検出するか否かにより、ＩＰ電話網に接続されているのか、一般公衆網に接続されているのかを判断する。
【００４７】
システム制御部２は、ステップＳ１０２で、特殊信号を受信すると、ＩＰ電話網に接続されていると判断して、モデム部１０のＶ．８機能をオフに設定して（ステップＳ１０３）、送信動作を実施して、モデム部１０がＶ．３４送信に移行しないようにし（ステップＳ１０４）、送信を完了すると、送信処理を終了する（ステップＳ１０５）。
【００４８】
このように、本実施例のファクシミリ装置１は、ファクシミリ送信時、発信後に所定の信号を検出すると、モデムのＶ．８機能をオフにして送信動作を行っている。
【００４９】
したがって、ＩＰ電話網とファクシミリ装置との間に介在するＡＤＳＬモデムやＩＰ端末の発信する所定の信号を検出すると、ＩＰ電話網に接続されたと判断して、Ｖ．８機能をオフにしてＶ．３４での通信を行わないようにすることができ、ＩＰ電話網に接続された場合にも安定したファクシミリ通信を行うことができる。
【実施例２】
【００５０】
図３は、本発明のファクシミリ装置の第２実施例を適用したファクシミリ装置による通信管理処理を示すフローチャートである。
【００５１】
なお、本実施例は、上記第１実施例のファクシミリ装置１と同様のファクシミリ装置に適用したものであり、本実施例の説明においては、必要に応じて、上記第１実施例の説明で用いた符号をそのまま用いて説明する。
【００５２】
本実施例のファクシミリ装置１は、受信側であって、呼出信号を検出した後、特定の信号を受信すると、ＩＰ電話網に接続されていると判断して、モデム部１０のイコライザーをフリーズさせて受信を行う。
【００５３】
すなわち、ファクシミリ装置としては、発信後にＩＰ電話網であることを示す規定の信号を検出すると、極性反転を検出した後に、ＩＰ電話網で送信していることを示す特定の信号を送出するファクシミリ装置がある。
【００５４】
そこで、本実施例のファクシミリ装置１は、このようなファクシミリ装置からファクシミリ受信があり、呼出信号を検出した後、当該送信側のファクシミリ装置からのＩＰ電話網で送信していることを示す特定の信号を受信すると、ＩＰ電話網に接続されていると判断して、モデム部１０のイコライザーをフリーズさせて受信を行う。
【００５５】
具体的には、ファクシミリ装置１は、図３に示すように、システム制御部２が、着呼があって発信を開始すると（ステップＳ２０１）、特殊信号（特定の信号）を検出するかチェックして、ＩＰ電話網に接続されているか、一般公衆網に接続されているかをチェックする（ステップＳ２０２）。
【００５６】
ステップＳ２０２で、特殊信号を検出すると、システム制御部２は、ＩＰ電話網に接続していると判断して、ＩＰフラグをセットして（ステップＳ２０３）、受信動作を開始し（ステップＳ２０４）、ステップＳ２０２で、特殊信号を検出しないときには、一般公衆網に接続されていると判断して、ＩＰフラグをセットすることなく、受信動作を開始する（ステップＳ２０４）。
【００５７】
システム制御部２は、受信動作を開始すると、高速の画情報を受信して（ステップＳ２０５）、ＩＰフラグがオンであるかチェックし（ステップＳ２０６）、ＩＰフラグがオンであると、モデム部１０のイコライザーをフリーズして（ステップＳ２０７）、受信を行って、１ページの受信を完了すると、イコライザーのフリーズを解除する（ステップＳ２０８）。
【００５８】
次に、システム制御部２は、次ページがあるかチェックし（ステップＳ２０９）、次ページがあるときには、ステップＳ２０５に戻って、上記同様に処理する（ステップＳ２０５〜Ｓ２０９）。
【００５９】
ステップＳ２０９で、次ページがないときには、システム制御部２は、受信を完了して、受信処理を終了する（ステップＳ２１０）。
【００６０】
そして、ステップＳ２０６で、ＩＰフラグがオンでないときには、ＩＰ電話網ではなく、一般公衆網に接続されているため、モデム部１０のイコライザーをフリーズさせず、回線の状況に合わせてモデム部１０のイコライザーを更新して受信を行って、１ページの受信を完了すると、次ページがあるかチェックし（ステップＳ２０９）、次ページがあるときには、ステップＳ２０５に戻って、上記同様に処理する（ステップＳ２０５〜Ｓ２０９）。
【００６１】
ステップＳ２０９で、次ページがないときには、システム制御部２は、受信を完了して、受信処理を終了する（ステップＳ２１０）。
【００６２】
すなわち、本実施例のファクシミリ装置１では、一般公衆網に接続されているときには、モデム部１０のイコライザーをフリーズさせずに、回線の状況に合わせてモデム部１０のイコライザーを更新するが、ＩＰ電話網に接続されているときには、パケットロスが発生しやすいため、イコライザーを固定して、回線の急激な変化にイコライザーを追従させないようにし、安定した通信を確保している。
【００６３】
このように、本実施例のファクシミリ装置１は、着信時、所定の信号を検出すると、画情報の受信を開始した直後に、モデム部１０のイコライザーをフリーズさせて受信動作を行っている。
【００６４】
したがって、ＩＰ電話網使用時に送信側ファクシミリ装置の送出する所定の信号を検出すると、ＩＰ電話網に接続されたと判断して、高速受信時にモデム部１０の内蔵するイコライザーをフリーズさせて、イコライザーを更新しないようにすることができ、ＩＰ電話網でのファクシミリ通信時にパケットロスがあっても安定したファクシミリ通信を行うことができる。
【実施例３】
【００６５】
図４は、本発明のファクシミリ装置の第３実施例を適用したファクシミリ装置による通信管理処理を示すフローチャートである。
【００６６】
なお、本実施例は、上記第１実施例のファクシミリ装置１と同様のファクシミリ装置に適用したものであり、本実施例の説明においては、必要に応じて、上記第１実施例の説明で用いた符号をそのまま用いて説明する。
【００６７】
本実施例のファクシミリ装置１は、受信側であって、呼出信号を検出した後、特定の信号を受信すると、ＩＰ電話網に接続されていると判断して、高速待ち時間（高速受信状態継続時間）を調整して受信を行う。
【００６８】
すなわち、ファクシミリ装置としては、発信後にＩＰ電話網であることを示す規定の信号を検出すると、極性反転を検出した後に、ＩＰ電話網で送信していることを示す特定の信号を送出するファクシミリ装置がある。
【００６９】
そこで、本実施例のファクシミリ装置１は、このようなファクシミリ装置からファクシミリ受信があり、呼出信号を検出した後、当該送信側のファクシミリ装置からの特定の信号を受信すると、ＩＰ電話網に接続されていると判断して、モデム部１０のライン間／フレーム間タイムアウト時の高速待ち時間を調整して受信を行う。
【００７０】
具体的には、ファクシミリ装置１は、図４に示すように、システム制御部２が、着呼があって発信を開始すると（ステップＳ３０１）、特殊信号（特定の信号）を検出するかチェックして、ＩＰ電話網に接続されているか、一般公衆網に接続されているかをチェックする（ステップＳ３０２）。
【００７１】
ステップＳ３０２で、特殊信号を検出すると、システム制御部２は、ＩＰ電話網に接続していると判断して、ＩＰフラグをセットして（ステップＳ３０３）、受信動作を開始し（ステップＳ３０４）、ステップＳ３０２で、特殊信号を検出しないときには、一般公衆網に接続されていると判断して、ＩＰフラグをセットすることなく、受信動作を開始する（ステップＳ３０４）。
【００７２】
システム制御部２は、受信動作を開始すると、ライン間／フレーム間タイムアウトかチェックし（ステップＳ３０５）、ライン間／フレーム間タイムアウトであると、ＩＰフラグがオンか、すなわち、ＩＰ電話網に接続されているかチェックする（ステップＳ３０６）。
【００７３】
ステップＳ３０６で、ＩＰフラグがオンのときには、システム制御部２は、ＩＰ電話網に接続されていると判断して、高速待ち時間（高速受信状態継続時間）を３０秒（３０ｓ）にセットして（ステップＳ３０７）、高速待ち時間がタイムアウトかチェックし（ステップＳ３０８）、高速待ち時間がタイムアウトでないときには、高速受信かチェックする（ステップＳ３０９）。
【００７４】
ステップＳ３０９で、高速受信であるときには、システム制御部２は、ステップＳ３０５に戻って、上記同様に処理する（ステップＳ３０５〜Ｓ３０９）。
【００７５】
ステップＳ３０５で、ライン間／フレーム間タイムアウトでないときには、システム制御部２は、ステップＳ３０８に移行して、高速待ち時間のタイムアウトかチェックし（ステップＳ３０８）、高速待ち時間のタイムアウトでないときには、高速受信かチェックする（ステップＳ３０９）。
【００７６】
ステップＳ３０９で、高速受信でないときには、システム制御部２は、ステップＳ３０８に戻って高速待ち時間のタイムアウトかチェックする（ステップＳ３０８）。
【００７７】
そして、ステップＳ３０８で、高速待ち時間がタイムアウトとなっていると、システム制御部２は、低速モードに移行するとともに、高速待ち時間がステップＳ３０７で３０秒に設定されていると、当該高速待ち時間を通常の０秒（０ｓ）に戻す設定を行い（ステップＳ３１０）、次ページがあるかチェックする（ステップＳ３１１）。
【００７８】
ステップＳ３１１で、次ページがあると、システム制御部２は、ステップＳ３０５に戻って、上記同様の処理を行い（ステップＳ３０５〜Ｓ３１１）、次ページがないと、受信を完了して、受信処理を終了する（ステップＳ３１２）。
【００７９】
このように、本実施例のファクシミリ装置１は、ファクシミリ通信時に、ライン間／フレーム間タイムアウトすると、高速受信から低速受信に切り換えるに際して、着信時、所定の信号を検出すると、ライン間／フレーム間タイムアウト時の高速受信から低速受信に切り換えるまでの高速待ち時間（高速受信状態継続時間）を所定時間延長して受信動作を行っている。
【００８０】
したがって、ＩＰ電話網使用時に送信側ファクシミリ装置の送出する所定の信号を検出すると、ＩＰ電話網に接続されたと判断して、高速待ち時間を所定時間延長させて、高速受信の途中で受信に失敗しても再度高速受信に復帰できるようにすることができ、ＩＰ電話網に接続されたファクシミリ装置からのファクシミリ受信の場合にも、安定したファクシミリ通信を行うことができる。
【実施例４】
【００８１】
図５は、本発明のファクシミリ装置の第４実施例を適用したファクシミリ装置による通信管理処理を示すフローチャートである。
【００８２】
なお、本実施例は、上記第１実施例のファクシミリ装置１と同様のファクシミリ装置に適用したものであり、本実施例の説明においては、必要に応じて、上記第１実施例の説明で用いた符号をそのまま用いて説明する。
【００８３】
本実施例のファクシミリ装置１は、受信側であって、呼出信号を検出した後、特定の信号を受信すると、ＩＰ電話網に接続されていると判断して、高速待ち時間（高速受信状態継続時間）及びポストメッセージ待ち時間を調整して受信を行う。
【００８４】
すなわち、ファクシミリ装置としては、発信後にＩＰ電話網であることを示す規定の信号を検出すると、極性反転を検出した後に、ＩＰ電話網で送信していることを示す特定の信号を送出するファクシミリ装置がある。
【００８５】
そこで、本実施例のファクシミリ装置１は、このようなファクシミリ装置からファクシミリ受信があり、呼出信号を検出した後、当該送信側のファクシミリ装置からの特定の信号を受信すると、ＩＰ電話網に接続されていると判断して、モデム部１０のライン間／フレーム間タイムアウト時の高速待ち時間及びポストメッセージ待ち時間を調整して受信を行う。
【００８６】
具体的には、ファクシミリ装置１は、図５に示すように、システム制御部２が、着呼があって発信を開始すると（ステップＳ４０１）、特殊信号（特定の信号）を検出するかチェックして、ＩＰ電話網に接続されているか、一般公衆網に接続されているかをチェックする（ステップＳ４０２）。
【００８７】
ステップＳ４０２で、特殊信号を検出すると、システム制御部２は、ＩＰ電話網に接続していると判断して、ＩＰフラグをセットして（ステップＳ４０３）、受信動作を開始し（ステップＳ４０４）、ステップＳ４０２で、特殊信号を検出しないときには、一般公衆網に接続されていると判断して、ＩＰフラグをセットすることなく、受信動作を開始する（ステップＳ４０４）。
【００８８】
システム制御部２は、受信動作を開始すると、ライン間／フレーム間タイムアウトかチェックし（ステップＳ４０５）、ライン間／フレーム間タイムアウトであると、ＩＰフラグがオンか、すなわち、ＩＰ電話網に接続されているかチェックする（ステップＳ４０６）。
【００８９】
ステップＳ４０６で、ＩＰフラグがオンのときには、システム制御部２は、ＩＰ電話網に接続されていると判断して、高速待ち時間を３０秒（３０ｓ）にセットして（ステップＳ４０７）、高速待ち時間がタイムアウトかチェックし（ステップＳ４０８）、高速待ち時間がタイムアウトでないときには、高速受信かチェックする（ステップＳ４０９）。
【００９０】
ステップＳ４０９で、高速受信であるときには、システム制御部２は、ステップＳ４０５に戻って、上記同様に処理する（ステップＳ４０５〜Ｓ４０９）。
【００９１】
ステップＳ４０５で、ライン間／フレーム間タイムアウトでないときには、システム制御部２は、ステップＳ４０８に移行して、高速待ち時間のタイムアウトかチェックし（ステップＳ４０８）、高速待ち時間のタイムアウトでないときには、高速受信かチェックする（ステップＳ４０９）。
【００９２】
ステップＳ４０９で、高速受信でないときには、システム制御部２は、ステップＳ４０８に戻って高速待ち時間のタイムアウトかチェックする（ステップＳ４０８）。
【００９３】
そして、ステップＳ４０８で、高速待ち時間がタイムアウトとなっていると、システム制御部２は、低速モードに移行するとともに、高速待ち時間がステップＳ４０７で３０秒に設定されていると、当該高速待ち時間を通常の０秒（０ｓ）に戻す設定を行い（ステップＳ４１０）、ＩＰフラグがオンか、すなわち、ＩＰ電話網に接続されているかチェックする（ステップＳ４１１）。
【００９４】
ステップＳ４１１で、ＩＰフラグがオンであると、システム制御部２は、ＩＰ電話網に接続されていると判断して、ポストメッセージ待ち時間である低速待ち時間を３０秒（３０ｓ）にセットして（ステップＳ４１２）、ポストメッセージを低速待ち時間がタイムアウトする前に受信したかチェックし（ステップＳ４１３、Ｓ４１４）、低速待ち時間がタイムアウトする前に、ポストメッセージを受信すると、次ページがあるかチェックする（ステップＳ４１５）。
【００９５】
ステップＳ４１５で、次ページがあると、システム制御部２は、ステップＳ４０５に戻って、上記同様の処理を行い（ステップＳ４０５〜Ｓ４１５）、ステップＳ４１５で、次ページがないと、受信を完了して、低速待ち時間として、ＥＣＭを１８秒（１８ｓ）に、非ＥＣＭを６秒（６ｓ）に設定して、受信処理を終了する（ステップＳ４１６）。
【００９６】
そして、ステップＳ４１４で、ポストメッセージを受信することなく、低速待ち時間がタイムアウトすると、システム制御部２は、通信エラーとして（ステップＳ４１７）、受信を完了して、低速待ち時間として、ＥＣＭを１８秒（１８ｓ）に、非ＥＣＭを６秒（６ｓ）に設定して、受信処理を終了する（ステップＳ４１６）。
【００９７】
すなわち、ＩＰ電話網のようなパケットロスの発生しやすい回線では、高速受信の途中で受信に失敗し、再度高速受信に復帰できないことも多い。その場合、低速信号の受信待ち状態になるが、送信側は、ＥＣＭの場合は、１Ｂｌｏｃｋ分、非ＥＣＭの場合は、１ページ分の画情報を送信し終わらないと低速信号を送出しないため、非ＥＣＭで１ページが長い場合には、ポストメッセージを受信する前に受信待ちを止めて通信エラーになってしまうこともある。そこで、本実施例のファクシミリ装置１は、低速待ち時間を延長することで、ポストメッセージの待ち時間を延長して、高速受信に失敗して高速受信に復帰できなかったとしても、低速の信号を捕まえて再度通信をやり直すことができるようにしている。
【００９８】
このように、本実施例のファクシミリ装置１は、ファクシミリ通信時に、低速受信状態で所定のポストメッセージ待ち時間の間にポストメッセージを受信しないと、通信エラーとして処理するに際して、着信時、所定の信号を検出すると、ポストメッセージ待ち時間を所定時間延長して受信動作を行っている。
【００９９】
したがって、ＩＰ電話網使用時に送信側ファクシミリ装置の送出する所定の信号を検出すると、ＩＰ電話網に接続されたと判断して、ポストメッセージ待ち時間を所定時間延長して、高速受信に失敗して高速受信に復帰できなかったとしても、低速の信号を捕まえて再度通信をやり直すことができ、ＩＰ電話網に接続されたファクシミリ装置からのファクシミリ受信の場合にも、安定したファクシミリ通信を行うことができる。
【０１００】
また、本実施例のファクシミリ装置１は、ライン間／フレーム間タイムアウトすると、高速受信から低速受信に切り換え、低速受信状態で所定のポストメッセージ待ち時間の間にポストメッセージを受信しないと、通信エラーとして処理するに際して、着信時、所定の信号を検出すると、ライン間／フレーム間タイムアウト時の高速受信から低速受信に切り換えるまでの高速受信状態継続時間を所定時間延長するとともに、ポストメッセージ待ち時間を所定時間延長して受信動作を行っている。
【０１０１】
したがって、ＩＰ電話網使用時に送信側ファクシミリ装置の送出する所定の信号を検出すると、ＩＰ電話網に接続されたと判断して、高速受信状態継続時間を所定時間延長させるとともに、ポストメッセージ待ち時間を所定時間延長して、高速受信の途中で受信に失敗しても再度高速受信に復帰できるようにすることができ、また、高速受信に失敗して高速受信に復帰できなかったとしても、低速の信号を捕まえて再度通信をやり直すことができ、ＩＰ電話網に接続されたファクシミリ装置からのファクシミリ受信の場合にも、安定したファクシミリ通信を行うことができる。
【０１０２】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１０３】
ＩＰ電話網に接続された場合にも安定してファクシミリ通信するファクシミリ装置に適用することができる。
【図面の簡単な説明】
【０１０４】
【図１】本発明のファクシミリ装置の第１実施例を適用したファクシミリ装置の概略ブロック構成図。
【図２】図１のファクシミリ装置による通信管理処理を示すフローチャート。
【図３】本発明のファクシミリ装置の第２実施例を適用したファクシミリ装置による通信管理処理を示すフローチャート。
【図４】本発明のファクシミリ装置の第３実施例を適用したファクシミリ装置による通信管理処理を示すフローチャート。
【図５】本発明のファクシミリ装置の第４実施例を適用したファクシミリ装置による通信管理処理を示すフローチャート。
【符号の説明】
【０１０５】
１  ファクシミリ装置
２  システム制御部
３  システムメモリ部
４  画像メモリ部
５  符号化・復号化部
６  記録部
７  読取部
８  操作部
９  Ｉ／Ｏ制御部
１０  モデム部
１１  通信アナログ部
１２  ＮＣＵ部
１３  バス
【図１】
2005176079.tif 000003
【図２】
2005176079.tif 000004
【図３】
2005176079.tif 000005
【図４】
2005176079.tif 000006
【図５】
2005176079.tif 000007